【事件の表示】
　特許第２９９５６０１号「光スイッチ」の請求項１ないし３に係る特許に対する特許異議の申立てについて、次のとおり決定する。
【結　論】
　訂正を認める。
　特許第２９９５６０１号の請求項１、２に係る特許を維持する。
【理　由】
１．手続きの経緯
  　本件特許第２９９５６０１号に係る出願は、平成５年１月１２日の出願であって、平成１１年１０月２９日にその設定登録がなされ、その後、桜井昭枝より特許異議の申立てがなされ、取消理由通知がなされ、その指定期間内である平成１２年１１月２１日に訂正請求がなされたものである。
　
２．訂正の適否についての判断
（１）訂正の内容
　訂正の内容は、特許請求の範囲の請求項１ないし請求項３、
「【請求項１】Ｍ×Ｎ型光スイッチにおいて、ファイバ可動型１×２メカニカル光スイッチを多段接続することを特徴とする光スイッチ。
【請求項２】請求項１記載のＭ×Ｎ型光スイッチにおいて、該ファイバ可動型１×２メカニカル光スイッチを並列に配し、かつ、該ファイバ可動型１×２メカニカル光スイッチ間に多段接続部を配することを特徴とする光スイッチ。
【請求項３】請求項２記載のＭ×Ｎ型光スイッチにおいて、該ファイバ可動型１×２メカニカル光スイッチを段違いに配したことを特徴とする光スイッチ。」
を、
「【請求項１】Ｍ×Ｎ型光スイッチにおいて、多段接続した複数のファイバ可動型１×２メカニカル光スイッチを並列に並べ、かつ、隣接する前記ファイバ可動型１×２メカニカル光スイッチを互いに段違いに並べたことを特徴とする光スイッチ。
【請求項２】前記ファイバ可動型１×２メカニカル光スイッチ間に多段接続部を配することを特徴とする請求項１記載の光スイッチ。」
と訂正するものである。
　
（２）訂正の目的の適否、新規事項の有無及び拡張・変更の存否
　上記訂正は、請求項１に係る発明では、「複数のファイバ可動型１×２メカニカル光スイッチを並列に並べ、かつ、隣接する前記ファイバ可動型１×２メカニカル光スイッチを互いに段違いに並べた」と限定し、請求項２に係る発明では、請求項１の訂正により不要となった、「ファイバ可動型１×２メカニカル光スイッチを並列に配」する構成を削除し、さらに、請求項３を削除するものであるから、これらは、特許請求の範囲の減縮に該当し、特許明細書の【００１７】及び【００１８】、図２及び図３の記載を根拠とした訂正であるから新規事項の追加に該当せず、また、実質的に特許請求の範囲を拡張・変更するものにも該当しない。
　
（３）結論
　以上のとおりであるから、上記訂正請求は、特許法等の一部を改正する法律（平成６年法律第１１６号）附則第６条第１項の規定によりなお従前の例によるとされる、特許法第１２０条の４第２項及び同条第３項において準用する平成６年法律第１１６号による改正前の特許法第１２６条第１項ただし書及び第２項の規定に適合するので、当該訂正を認める。
　
３．特許異議申立について
（１）本件発明
　本件特許第２９９５６０１号の請求項１及び請求項２に係る発明は、訂正された特許明細書及び図面の記載からみて、その特許請求の範囲の請求項１及び請求項２に記載されたとおりのものである。
　
（２）特許異議申立人の主張の概要
  特許異議申立人桜井昭枝は、甲第１号証として特開平４−３１３４７８号公報、甲第２号証として実開昭５６−２３９０７号公報、甲第３号証として特開平４−２６４４１４号公報及び甲第４号証として特開平３−２０４６０９号公報を提示して、訂正前の請求項１ないし請求項３に係る発明は、特許法第２９条第１項第３号又は特許法第２９条第２項の規定により特許を受けることができないものである旨、主張している。
　
（３）甲各号証の記載内容
　特許異議申立人の提示した甲第１号証には、
「【請求項１】１台のレーザ装置から複数箇所へレーザ光を送るレーザビーム切り換え装置において、光入射側光ファイバーと、複数の光出射側光ファイバーと、光入射側光ファイバーを動かして何れかの光出射側光ファイバーに光学的に切り換え接続する電磁駆動手段とで光ファイバー駆動切り換えユニットを構成したことを特徴とするレーザビーム切り換え装置。
【請求項２】一つの光入射側光ファイバーから順次ツリー状に分岐して複数の光出射側光ファイバーへレーザ光を分岐させる光分岐路の各分岐点に上記光ファイバー駆動切り換えユニットを備えるとともにこれら光ファイバー駆動切り換えユニットと光分岐路を一体的にモジュール化したことを特徴とする請求項１記載のレーザビーム切り換え装置。」（特許請求の範囲請求項１及び請求項２）、
「【００１１】また請求項２記載の発明によれば、・・・分岐路におけるファイバーの接続をコネクタ無しで行えてロスが小さく済む。」（段落番号【００１１】）、
「【００１６】【実施例】以下本発明を実施例により説明する。
（実施例１）　図１は１台のレーザ装置１から、２箇所の作業ステーションにレーザビームを切り換えて送ることができる本実施例を示しており、レーザ装置１からのレーザ光を導入する光入射側光ファイバー２の端部を電磁石３のアマチュア４に固定し、電磁石３を励磁してアマチュア４を吸引駆動した場合と、電磁石３の非励磁状態でアマチュア４が復帰ばね（図示せず）で復帰状態にある場合とで、光入射側光ファイバー２の端部に光学的に結合される光出射側光ファイバー５Ａ，５Ｂを切り換えるようにしている。」（段落番号【００１６】）、
「（実施例３）　実施例２の場合、１入力を４出力に分割する構成であったが、本実施例は図５、図６に示すように７台の光ファイバー駆動切り換えユニットＵＴ１〜ＵＴ７の電磁石３１〜３７と、光ファイバー２、５Ａ，５Ｂ、６Ａ１、６Ａ２、６Ｂ１、６Ｂ２、７Ａ１、７Ａ２、７Ｂ１、７Ｂ２、７Ｃ１、７Ｃ２、７Ｄ１、７Ｄ２とを使用して８分割にするものである。尚分割数は特に実施例に限定されるものではない。」（段落番号【００２１】）、
「【００２２】（実施例４）　上記実施例２では初段の光ファイバー駆動切り換えユニットＵＴ1に対して後方に次段の２台の光ファイバー駆動切り換えユニットＵＴ１、ＵＴ２を並設したものであるが、本実施例は、装置Ｘ内において図７〜図９に示すように３台の光ファイバー駆動切り換えユニットＵＴ１〜ＵＴ３を横一列に夫々の入射側及び出射側を同じ向きになるように配設して、装置Ｘの奥行きを小さくしている。ここで中央に置いた初段の光ファイバー駆動切り換えユニットＵＴ１の光出射側の光ファイバー５Ａ，５Ｂを規定の曲げ半径でループ状に巻回して、次段の各光ファイバー駆動切り換えユニットＵＴ２、ＵＴ３の入射側に、光入射側光ファイバーとして結合する。そして次段の光ファイバー駆動切り換えユニットＵＴ２、ＵＴ３の光出射側の光ファイバー６Ａ１，６Ａ２、６Ｂ１，６Ｂ２を外部に導出するのである。」（段落番号【００２２】）と記載されている。
　同じく甲第２号証には、
「２本の入力用可動光ファイバーと、２本の出力用可動光ファイバーを、それぞれ対向させて形成した２つの光信号伝送回路を交互に切換えて接続する光スイッチであって、上記各入力用可動光ファイバーと出力用可動光ファイバーを互いに異なる方向の所定の位置に動かすための手段と、上記手段による各可動光ファイバーの動きに応じ上記各可動光ファイバーの移動位置を定める位置決め部とを具備して構成したことを特徴とする光スイッチ。」（実用新案登録請求の範囲）と記載されており、第２図には、一回路二接点型の光スイッチ（ＳＷ）を４個組合せて構成した２×２光スイッチが示されている。
　同じく甲第３号証には、
「【請求項１】Ｎ心の上部側光ファイバとＮ心の下部側光ファイバとの間でＮ心×Ｎ心の完全群切替を行う光ファイバスイッチにおいて、隣り合う壁面により形成された溝部をＮ個備えた繰り抜き空間を有し、当該空間内の各溝部に、各１心の上部側光ファイバの一端部が密接固定されると共に、下部側光ファイバの各１心が、これら固定された各上部側光ファイバと端面同士が対向するように保持された光ファイバ軸合わせ部を設けると共に、前記光ファイバ軸合わせ部の下部側に、下部側光ファイバが挿通する空間を有し、当該空間の周囲に磁気的吸引力の大きさを調整可能な磁力発生部を備え、磁力発生部の吸引力の調整により前記光ファイバ軸合わせ部における各下部側光ファイバの保持位置を切り替えるファイバ駆動部を設け、各下部側光ファイバにおける前記ファイバ駆動部の空間挿通部分の少なくとも一部に磁性膜を装着したことを特徴とする光ファイバスイッチ。」（特許請求の範囲）、
「【０００８】図３において、１は可動ファイバ、２−１，２−２は静止ファイバ、３は半硬質磁性膜パイプ、４はサマリウムコバルト（ＳｍＣｏ）永久磁石、５はソレノイドコイル、６はセラミック割りスリーブ、７はＶ溝付きセラミック半割りフェルール、７ａ、７ｂはＶ溝、８はセラミックフェルール、Ｃ１は可動ファイバ１に接続された入力コネクタ、Ｃ２は静止ファイバ２?１に接続された入力コネクタ、Ｃ３は静止ファイバ２?２に接続された入力コネクタである。」（段落番号【０００８】）、
「【００１２】【発明が解決しようとする課題】一般に１×Ｎスイッチを用いてＮ心×Ｎ心のスイッチを構成するには、２Ｎ個のスイッチが必要である。また、２×２のスイッチを用いてＮ心×Ｎ心のスイッチを構成するには、Ｎ２個のスイッチが必要である。従って、１×Ｎスイッチを用いてＮ×Ｎスイッチを構成するには４Ｎ２個のスイッチが必要である。」（段落番号【００１２】）、
「図３に挙げた従来例では、スイッチが１心×２心であり、２心×２心を構成するには４個のスイッチを必要とする。従って、４心×４心スイッチを構成するには、６４個のスイッチを必要とする。」（段落番号【００１４】）と記載されている。
　同じく甲第４号証には、
「第４図は本発明の光切替器を用いた光通信システムの一例を示すもので、図中、３０、４０、５０はノード局、３１、３２、４１、４２、５１、５２は従来の光切替器、３３、４３、５３は本発明の光切換器、３４、４４、５４は光通信回線、３５、４５、５５は予備の光通信回線である。前記システムにおいて、光切替器３１、光通信回線３４及び光切替器４１を介してノード局３０と４０とが接続されているものとする。」（公報第３頁右上欄第９行〜第１７行）と記載されており、第４図には、各ノード局には、従来の１×２光切替器が２個並列に配設され、これと直列に２×２光切換器を配設することが示されている。
　
（４）対比・判断
　本件の請求項１に係る発明と特許異議申立人の提示した甲各号証に記載された発明とを対比すると、甲各号証には、本件の請求項１に係る発明の構成要件である「多段接続した複数のファイバ可動型１×２メカニカル光スイッチを並列に並べ、かつ、隣接する前記ファイバ可動型１×２メカニカル光スイッチを互いに段違いに並べた」点に関する記載はない。
　すなわち、甲第１号証には、３台の１×２メカニカル光スイッチを横一列に夫々の入射側及び出射側を同じ向きになるように配設した実施例は記載されているが、段違いに並べることは記載されていないし、示唆されてもいない。また、甲第２号証には、１×２メカニカル光スイッチを直列・並行に４個組合せた２×２光スイッチが示されているが、すべての光スイッチを並列に並べること、及び、光スイッチを互いに段違いに並べることに関しては、記載されていないし、示唆されてもいない。さらに、甲第３号証には、従来例として、スイッチが１×２光スイッチは、２×２光スイッチを構成するには４個必要であり、４×４光スイッチを構成するには、６４個必要である旨の記載があるのみで、これらの配列に関しては何ら記載されていない。さらに、甲第４号証には、１×２光スイッチを２個並列に配設し、これと直列に２×２光スイッチを配設することが示されているのみ、すべての光スイッチを並列に並べること、及び、光スイッチを互いに段違いに並べることに関しては、記載されていないし、示唆されてもいない。
　そして、本件の請求項１に係る発明は、上記構成要件を具備することにより、ファイバ可動型１×２メカニカル光スイッチの切替時に、隣接する光スイッチ間において干渉が生じないという作用効果を奏する。
　よって、本件の請求項１に係る発明は、甲第１号証ないし甲第４号証に記載された発明ではなく、また、甲第１号証ないし甲第４号証に記載された発明に基づいて、当業者が容易に発明をすることができたものでもない。
　
　また、本件の請求項２に係る発明は、請求項１を引用し、さらに、「ファイバ可動型１×２メカニカル光スイッチ間に多段接続部を配する」という構成要件を付加したものであるから、本件の請求項１に係る発明と同様に、甲第１号証ないし甲第４号証に記載された発明ではなく、また、甲第１号証ないし甲第４号証に記載された発明に基づいて、当業者が容易に発明をすることができたものでもない。
　
（５）むすび
　以上のとおりであるから、特許異議の申立ての理由及び証拠によっては、本件の請求項１及び請求項２に係る発明の特許を取り消すことはできない。
　また、他に本件の請求項１及び請求項２に係る発明の特許を取り消すべき理由を発見しない。
　
　よって、結論のとおり決定する。
【異議決定日】
平成１２年１２月１５日（２０００．１２．１５）
【訂正の要旨】
１．訂正事項１
　特許請求の範囲の請求項１ないし請求項３、
「【請求項１】Ｍ×Ｎ型光スイッチにおいて、ファイバ可動型１×２メカニカル光スイッチを多段接続することを特徴とする光スイッチ。
　【請求項２】請求項１記載のＭ×Ｎ型光スイッチにおいて、該ファイバ可動型１×２メカニカル光スイッチを並列に配し、かつ、該ファイバ可動型１×２メカニカル光スイッチ間に多段接続部を配することを特徴とする光スイッチ。
　【請求項３】請求項２記載のＭ×Ｎ型光スイッチにおいて、該ファイバ可動型１×２メカニカル光スイッチを段違いに配したことを特徴とする光スイッチ。」
を、
「【請求項１】Ｍ×Ｎ型光スイッチにおいて、多段接続した複数のファイバ可動型１×２メカニカル光スイッチを並列に並べ、かつ、隣接する前記ファイバ可動型１×２メカニカル光スイッチを互いに段違いに並べたことを特徴とする光スイッチ。
　【請求項２】前記ファイバ可動型１×２メカニカル光スイッチ間に多段接続部を配することを特徴とする請求項１記載の光スイッチ。」
と訂正する。
（５４）【発明の名称】
光スイッチ
（５７）【特許請求の範囲】
　　【請求項１】　Ｍ×Ｎ型光スイッチにおいて、
多段接続した複数の
を並列に並べ、かつ、隣接する前記ファイバ可動型１×２メカニカル光スイッチを互いに段違いに並べたこと
　　【請求項２】　
前記ファイバ可動型１×２メカニカル光スイッチ間に多段接続部を配することを特徴とする請求項１記載の光スイッチ。
【発明の詳細な説明】
　【０００１】
　　【産業上の利用分野】
　本発明は、光通信等に用いられる光伝送路中に挿入され、かつ、光伝送路を切り替えるためのＭ×Ｎ型光スイッチに関する。ここで、Ｍ×Ｎ型光スイッチというのは、Ｍ個の各入力に対して、Ｎ個の出力のうちいずれか１個を選択できるようにした光スイッチをいう。
　【０００２】
　　【従来の技術】
　従来、Ｍ×Ｎ型光スイッチは、これまで多くのタイプのスイッチ構造が提案されている。そのうち、メカニカル光スイッチとしては、プリズム・ミラーをはじめとする微小光学素子を駆動するタイプのスイッチがある。図５に示すスイッチは、入力ポート４１１から入った光を、ロッドレンズ４１２を介したあと、プリズム４０１ａ、４０１ｂ、４０１ｃ、４０１ｄを移動させることで、反射または透過させ、出力ポート４１３のうち所望の出力ポートに出力させる１×５型メカニカル光スイッチである。
　【０００３】
　また、小型な１×２型メカニカル光スイッチとしては、光ファイバを直接駆動して光路を切り替える構造のファイバ可動型１×２メカニカル光スイッチが提案されている。その中に図６（ａ）、（ｂ）に示す光スイッチがある。
　【０００４】
　　【発明が解決しようとする課題】
　しかし、従来のＭ×Ｎ型メカニカル光スイッチには次のような課題があった。
　図５に示すように、微小光学素子を駆動する機構４０２ａ、４０２ｂ、４０２ｃが必要な構造であり、さらに、該微小光学素子は高精度な調整を必要とするため、Ｍ×Ｎの入力ポートＭ及び出力ポートＮの数の設定自由度に乏しく、かつ、大きさの大きなものであった。
　【０００５】
　そこで、本発明の目的は、従来のこのような課題を解決するため、容易に任意のＭ×Ｎ型光スイッチを作製でき、かつ、小型な構造を得ることである。
　【０００６】
　　【課題を解決するための手段と作用】
　上記課題を解決するために、本発明は、ファイバ可動型１×２メカニカル光スイッチを多段接続することで、任意のＭ×Ｎ型光スイッチを簡単に作製でき、さらに、小型な該ファイバ可動型メカニカル１×２光スイッチを並列、かつ、段違いに並べ、かつ、該接続部を該ファイバ可動型メカニカル１×２光スイッチ間に配すことで、小型にすることができ課題解決を図れるようにした。
　【０００７】
　　【作用】
　【０００８】
　　【実施例】
　以下に、この発明の実施例を図面に基づいて説明する。
　図８は、本実施例のうちの第１の実施例２×２型光スイッチの内部構造図であり、また、図２は、本実施例のうちの第２の実施例１×８型光スイッチの内部構造図である。
　【０００９】
　図８において、このＭ×Ｎ型光スイッチは、図６（ａ）、（ｂ）に示すファイバ可動型１×２メカニカル光スイッチを用いている。図６（ａ）、（ｂ）の光スイッチは、基部を円筒管５０１に片持ち梁状に固定し、かつ、その先端近傍に磁性体５０２を固着した１本の可動裸光ファイバ５０３と、磁性体５０２を包囲するように設けられた中空ソレノイドコイル５０４と、磁性体５０２と平行かつ等間隔に互いに逆磁性として対向配置された永久磁石５０５と、半割円柱５０６ａ、５０６ｂの平坦部に形成されたＶ状溝上に固定された２本の静止裸光ファイバ５０７ａ、５０７ｂと、円筒管５０１および半割円柱５０６ａ、５０６ｂを整列保持し、かつ中空ソレノイドコイル５０４および永久磁石５０５を固定する円筒スリーブ５０８とからなり、可動裸光ファイバ先端５０３と静止裸ファイバ５０７ａ、５０７ｂ先端が該Ｖ状溝上で対向し、中空ソレノイドコイル５０４の電流極性を反転させることで切り替え動作を行っている。
　【００１０】
　図８の光スイッチにおいては、上記ファイバ可動型１×２メカニカル光スイッチを光コネクタを使用した接続部６０５〜６０８を介し４個接続し、２×２型光スイッチを形成している。
　まず、上記ファイバ可動型１×２メカニカル光スイッチ（以下１×２光スイッチと称す）の接続について説明する。
　【００１１】
　図７は、本発明の２×２型メカニカル光スイッチにおける１×２型メカニカル光スイッチの接続方式を示した説明図である。図７に示す通り、１×２光スイッチ６０１の２本側のポートの６０１ｂと１×２光スイッチ６０３の２本側のポートの６０３ｂが接続部６０５で接続され、かつ、１×２光スイッチ６０１の２本側のポートの６０１ｃと１×２光スイッチ６０４の２本側のポートの６０４ｂが接続部６０７で接続され、かつ、１×２光スイッチ６０２の２本側のポートの６０２ｂと１×２光スイッチ６０３の２本側のポートの６０３ｃが接続部６０６で接続され、かつ、１×２光スイッチ６０２の２本側のポートの６０２ｃと１×２光スイッチ６０４の２本側のポートの６０４ｃが接続部６０８で接続されている。
　【００１２】
　機能としては、１×２光スイッチ６０１を２本側ポートの６０１ｂ側に切り替え、かつ、１×２光スイッチ６０３を２本側ポートの６０３ｂ側に切り替え、かつ、１×２光スイッチ６０２を２本側ポートの６０２ｃ側に切り替え、かつ、１×２光スイッチ６０４をポートの２本側６０４ｃ側に切り替えることにより、１×２光スイッチ６０１の１本側のポート６０１ａは、１×２光スイッチ６０３の１本側のポート６０３ａに接続され、１×２光スイッチ６０２の１本側のポート６０２ａは、１×２光スイッチ６０４の１本側のポート６０４ａに接続された状態になり、また、１×２光スイッチ６０１を２本側ポートの６０１ｃ側に切り替え、かつ、１×２光スイッチ６０４を２本側ポートの６０４ｂ側に切り替え、かつ、１×２光スイッチ６０３をポートの６０３ｃ側に切り替え、かつ、１×２光スイッチ６０２をポート１の６０２ｂ側に切り替えることにより、１×２光スイッチ６０１の１本側のポート６０１ａは、１×２光スイッチ６０４の１本側のポート６０４ａに接続され、１×２光スイッチ６０２の１本側のポート６０２ａは、１×２光スイッチ６０３の１本側のポート６０３ａに接続された状態になる２×２型光スイッチである。１×２光スイッチ４個で２×２型光スイッチができる通り、１×２光スイッチ２Ｎ（Ｎ．１）個で、Ｎ×Ｎ型光スイッチを構成することができる。
　【００１３】
　図９は、図８に示した２×２型スイッチの外観図である。
　図２において、このＭ×Ｎ型光スイッチは、図６（ａ）、（ｂ）に示す１×２光スイッチを７個接続した構造の１×８型光スイッチとなっている。上記１×２光スイッチ７個は、３段のツリー状に接続され１×８型をなしている。
　【００１４】
　図１は、本発明の１×８型メカニカル光スイッチにおける１×２型メカニカル光スイッチの接続方式を示した説明図である。接続は、図１に示す通り、１段目の１×２光スイッチ１０１の１本側のポート１０１ａが、１×８型の１ポート側になり、２本側の一方のポートの１０１ｂには２段目の１×２光スイッチ１０２の１本側のポート１０２ａが接続部１０８ａで接続され、１段目の１×２光スイッチ１０１の２本側のもう一方のボートの１０１ｃは、２段目の１×２光スイッチ１０３の１本側のポート１０３ａに接続部１０８ｂで接続されている。
　【００１５】
　さらに、２段目の１×２光スイッチ１０２の２本側の一方のポートの１０２ｂには３段目の１×２光スイッチ１０４の１本側のポート１０４ａに接続部１０８ｃで接続され、かつ、１×２光スイッチ１０２の２本側のもう一方のポートの１０２ｃには３段目の１×２光スイッチ１０５の１本側のポート１０５ａに接続部１０８ｄで接続され、かつ、もう一方の２段目の１×２光スイッチ１０３の２本側の一方のポートの１０３ｂには３段目の１×２光スイッチ１０６の１本側のポート１０６ａに接続部１０８ｅで接続され、かつ、２段目の１×２光スイッチ１０３の２本側のもう一方のポートの１０３ｃには３段目の１×２光スイッチ１０７の１本側のボート１０７ａに接続部１０８ｆで接続されている。１×２光スイッチ１０４、１０５、１０６、１０７の２本側のポート１０９〜１０９ｈが、１×８型の８本側のポート１０９ａ〜１０９ｈとなる。
　【００１６】
　図２は、図１の接続方式で組み立てた実際の１×８型メカニカル光スイッチの内部構造を示した平面図である。１０１ａから入力した光は７個の１×２光スイッチのスイッチの接続の仕方により、１０９の出力ポートのいずれかから出力する。１１０は電極ピンであり、リード線１１１を通して、各スイッチ１０４、１０５、１０２、１０１、１０３、１０７、１０６のスイッチ切り替え時に、各スイッチのソレノイドコイルに電流を流す。
　【００１７】
　図３は、図２の光スイッチ収納部分の拡大図である。図３に示す通り、上記１×２光スイッチは、１０４、１０５、１０２、１０１、１０３、１０７、１０６の順に並列に並んでおり、かつ、接続部１０８ａを、１×２光スイッチ１０４と１０５の間に配置し、かつ、接続部１０８ｂを１×２光スイッチ１０７と１０６の間に配置し、かつ、接続部１０８ｃを１×２光スイッチ１０２と１０１の間に配置し、かつ、接続部１０８ｄを１×２光スイッチ１０５と１０２の間に配置し、かつ、接続部１０８ｅを１×２光スイッチ１０１と１０３の間に配置し、かつ、接続部１０８ｆを１×２光スイッチ１０３と１０７の間に配置し、さらに、該接続部は、１×２光スイッチ間に平行に配置されているため、融着・コネクタといった長手方向に長いタイプの接続方法でも小さく収納でき、厚さが薄く、かつ、小型なスイッチになる。
　【００１８】
　また、並列に並べられた上記１×２光スイッチは、長手方向に段違いに配置され、互いの磁界の干渉を防いでいる。１×２光スイッチ７個で１×８型光スイッチができる通り、１×２光スイッチ２Ｎ．１個で、１×２Ｎ型光スイッチを構成することができる。
　【００１９】
　図４は、図１ｂ、図２に示した１×８型スイッチの外観図である。このように本発明を用いれば、薄型で小型のコンパクトな光スイッチが実現できる。
　【００２０】
　　【発明の効果】
　本発明は、以上説明したように、ファイバ可動型１×２メカニカル光スイッチを多段接続することにより、容易に任意のＭ×Ｎ型光スイッチを得ることができ、さらに、該ファイバ可動型１×２メカニカル光スイッチを並列で段違いに配し、かつ、光スイッチ間の接続部を該ファイバ可動型１×２メカニカル光スイッチ間に配することにより、厚さの薄い、小型なＭ×Ｎ型光スイッチを得ることができる。
【図面の簡単な説明】
　　【図１】
　本発明の１×８型メカニカル光スイッチにおける１×２型メカニカル光スイッチの接続方式を示した説明図である。
　　【図２】
　本発明の１×８型メカニカル光スイッチの内部構造を示した説明図である。
　　【図３】
　本発明の１×８型メカニカル光スイッチの光スイッチ収納部分の拡大図である。
　　【図４】
　本発明の１×８型メカニカル光スイッチの外観図である。
　　【図５】
　従来の１×５型メカニカル光スイッチの構造を示した説明図である。
　　【図６】
　（ａ）はファイバ可動型１×２メカニカル光スイッチの駆動部を示す斜視図であり、（ｂ）はファイバ可動型１×２メカニカル光スイッチの２本の静止裸ファイバとその固定部の断面図である。
　　【図７】
　本発明の２×２型メカニカル光スイッチにおける１×２型メカニカル光スイッチの接続方式を示した説明図である。
　　【図８】
　本発明の実施例２×２型メカニカル光スイッチの内部構造を示した平面図である。
　　【図９】
　本発明の実施例２×２型メカニカル光スイッチの外観図である。
　　【符号の説明】
　１０１〜１０７　ファイバ可動型１×２メカニカル光スイッチ
　６０１〜６０４　ファイバ可動型１×２メカニカル光スイッチ
　６０５〜６０８　コネクタ接続部
　１０８ａ〜１０８ｆ　ファイバ融着接続部